(57)【要約】  外科手術用防護組立品は、空気流動装置と前記空気流動装置を担持するヘッドギア組立品とを含む。前記ヘッドギア組立品は、外壁、内壁、前端部、後端部、及び前記前端部と前記後端部との間の中間部を含む。前記外壁は上部開口部を有し、前記内壁は開口部の配列を有し、前記内壁及び外壁は、前記前端部に前開口部を形成する。ヘッドギア組立品は、上部開口部、配列、及び前端部を共に流動的に連結する通路を有する。【特許請求の範囲】
【請求項１】
空気流動装置と、
前記空気流動装置を支持するヘッドギア組立品と、
を備える外科手術用防護組立品であって、
前記ヘッドギア組立品が、
（ａ）前端部、後端部、及び前記前端部と前記後端部との間の部分を有する外壁であって、前記外壁の一部が、前記空気流動装置に配置されるか、又は前記空気流動装置に近接して配置された、上部開口部を形成し、前記外壁が前記前端部に近接するフェイスシールド搭載台を支持する、外壁と、
（ｂ）前記第一開口部に流動的に連結される通路を形成するように前記外壁から離れて離間される内壁であって、前記内壁は、前端部、後端部、及び前記前端部と前記後端部との間の部分を有し、前記外壁、及び前記内壁の前記前端部は、前記通路に流動的に連結された第二開口部を形成し、前記内壁の一部は、前記通路に流動的に連結された複数の付加的な開口部を形成し、前記外壁、及び内壁の前記前端部は、前記通路に流動的に連結される前開口部を形成し、ヘッド固定装置が前記内壁に結合している、内壁と、
を備えることを特徴とする外科手術用防護組立品。
【請求項２】
前記内壁に結合されたコードガイドをさらに備える、請求項１に記載の組立品。
【請求項３】
前記外壁の一部が、前記空気流動装置と実質的に近接して位置する空気格子を形成することを特徴とする、請求項１に記載の組立品。
【請求項４】
前記複数の付加的な開口部が、指定されたパターンで前記内壁に沿って分配されることを特徴とする、請求項１に記載の組立品。
【請求項５】
第一端部及び第二端部を有するヘッドギア組立品であって、
該ヘッドギア組立品が、
前記第一端部に実質的に近接して位置する複数の流体の開口部を形成する内壁と、
外壁であって、
（ａ）前記第二端部に実質的に近接して設けられた第一開口部と、
（ｂ）前記第一端部に実質的に近接した第二開口部と、を形成する前記外壁と、
前記内壁と前記外壁との間に通路を形成する前記内壁と共働するように構成された前記外壁と、を含む前記ヘッドギア組立品を備える外科手術用防護組立品であって、
前記通路が前記第一開口部を、前記第二開口部及び前記複数の流動体の開口部に連結することを特徴とする外科手術用防護組立品。
【請求項６】
空気供給装置をさらに備え、前記空気供給装置が前記第二端部に実質的に近接する前記内壁によって担持されることを特徴とする、請求項５に記載の組立品。
【請求項７】
前記空気供給装置に操作可能に結合されたコードガイドをさらに備える、請求項６に記載の組立品。
【請求項８】
前記第一端部に実質的に近接した外壁上に担持されたフェイスシールド搭載台をさらに備える、請求項５に記載の組立品。
【請求項９】
前記内壁と共働するように構成された頭部固定装置をさらに備える、請求項５に記載の組立品。
【請求項１０】
前記頭部固定装置が引っ張り装置を含むことを特徴とする、請求項９に記載の組立品。
【請求項１１】
前記外壁が空気流動装置に実質的に近接して位置する空気格子を形成することを特徴とする、請求項５に記載の組立品。
【請求項１２】
前記複数の流体の開口部が、前記内壁に沿って一様に離間されていることを特徴とする、請求項５に記載の組立品。
【請求項１３】
外科手術用ヘッドギア組立品を製造する方法であって、
（ａ）外壁を内壁に結合する段階であって、よって、
（ｉ）前記外壁と前記内壁との間に通路が存在し、
（ｉｉ）前記結合された外壁と内壁とが、第一端部、第二端部、及び前記第一端部に実質的に近接した開口部を有し、前記開口部が前記通路と流動的に連結される、段階と、
（ｂ）異なる開口部が前記通路に流動的に連結されるように、前記外壁に前記異なる開口部を形成する段階と、
（ｃ）付加的な開口部が流動的に前記通路に連結されるように、前記内壁に前記複数の付加的な開口部を形成する段階と、
を備える外科手術用ヘッドギア組立品を製造する方法。
【請求項１４】
空気供給装置を前記内壁に結合する段階をさらに備える、請求項１３に記載の製造方法。
【請求項１５】
コードガイドを前記空気供給装置に結合する段階をさらに備える、請求項１４に記載の製造方法。
【請求項１６】
前記外壁に、前記第一端部に実質的に近接したフェイスシールド搭載台を持たせる段階をさらに含む、請求項１３に記載の製造方法。
【請求項１７】
頭部固定装置を前記内壁に結合する段階をさらに備える、請求項１３に記載の製造方法。
【請求項１８】
引っ張り装置を前記内壁に結合する段階をさらに備える、請求項１７に記載の製造方法。
【請求項１９】
前記付加的な開口部を、指定されたパターンで前記内壁の領域に亘って分配させる段階をさらに備える、請求項１３に記載の製造方法。
【請求項２０】
前記付加的な開口部を、一様な配列で前記内壁の領域に亘って分配させる段階をさらに備える、請求項１９に記載の製造方法。
【発明の詳細な説明】
【背景技術】
【０００１】
外科医が手術を行うとき、血液、体液、細菌、ウィルス、空気伝染病原体、及び空気伝染微粒子が、患者から外科医に移り得る。例えば汗が落ちるなど、特定の液体、微粒子、及び髪の毛は、外科医から患者の手術部位に落ちる場合がある。それぞれの場合において、外科医及び患者は、感染症又は疾病に罹る可能性に曝される。これらの理由の為、外科医にとって好適な手術条件及び快適性を維持しながら、これらの危険から外科医及び患者を保護する外科手術用装備を進歩させる必要がある。
【発明の概要】
【課題を解決するための手段】
【０００２】
ここで開示される外科手術用防護システム及び組立品は、概して防護システムに関し、より詳細には、空気供給システムを介して使用者又は装着者に比較的大容量の気流を供給するように構成された調整可能なヘルメット又はヘッドギア組立品を含む、外科医防護用組立品に関する。開示される外科手術用防護組立品は、使用者の頭部に装着されることを意図され、汚染物質への暴露が好ましくない結果となり得る、例えば手術室又はクリーンルームなどのような無菌環境での使用に好適である。
【０００３】
調整可能なヘルメットは、空気伝染する破片、病原体、又は汚染物質に対して、使用者及び患者を防護するための外科手術服及びフェイスシールドと共働するように構成されており、さらに使用者にとっての個人的な快適性及び好適な環境を維持するために、使用者の顔及び頭頂部へ、及び周辺に除菌空気を供給及び循環を行う。
【０００４】
本発明に係るさらなる特徴及び利点は、下記詳細な説明及び図面に開示され、そして明確になるだろう。
【図面の簡単な説明】
【０００５】
【図１】医療処置中における外科手術用防護組立品の１実施形態を後部斜視図で示す。
【図２】ヘルメット又はヘッドギア組立品の１実施形態を分解組立図で示す。
【図２Ａ】ヘッドギア組立品の外シェルの１実施形態を拡大斜視図で示す。
【図２Ｂ】ヘッドギア組立品の内シェルの１実施形態を拡大斜視図で示す。
【図２Ｃ】内シェルの空気流動装置及び断面部分の１実施形態を分解組立斜視図で示す。
【図２Ｄ】図２Ｃにおける空気流動装置の回転ユニットの１実施形態を上面又は平面図で示す。
【図２Ｅ】図２Ｄにおける回転ユニットの羽根の１実施形態を斜視図で示し、前記羽根のエアフォイル型を図解している。
【図２Ｆ】内外シェルの共働によって形成される中央風洞を図解するヘッドギア組立品の１実施形態において、図１の線２Ｆ−２Ｆに沿って十分に獲得される断面斜視図を示す。
【図３】ヘッドギア組立品と位置合わせするために構成されるフェイスシールドの１実施形態を斜視図で示す。
【図３Ａ】図３におけるフェイスシールドの内平面図を示し、１実施形態としての外科手術服装着を図解している。
【図３Ｂ】フェイスシールドの１実施形態を内斜視図で示し、フェイスシールド上での使用者の視野内に、光又は映像情報を投影する表示部を図解している。
【図３Ｃ】付属品を固定する装着部又は搭載部を含むフェイスシールドの１実施形態を外斜視図で示す。
【図３Ｄ】映像を修正する特徴、又は使用者の視覚的指示に応じる装置を有するフェイスシールドの１実施形態を外斜視図で示す。
【図３Ｅ】図３におけるフェイスシールドと共働して位置合わせされるヘッドギア組立品の１実施形態の分解組立側面図を示す。
【図４】図２Ａにおける外科手術用ヘッドギア組立品と共働する調整式頭部固定組立品の１実施形態を斜視図で示す。
【図４Ａ】調整式頭部固定組立品の１実施形態を後部斜視図で示す。
【図４Ｂ】調整式頭部固定組立品の１実施形態を別の後部斜視図で示し、張力を掛けている組立品の動作を１実施形態として図解している。
【図５】図１における外科医防護システム又は組立品の後部斜視図を示し、ベルトに搭載された空気制御装置、又はヘッドギア組立品に電気コードで電気的に連結される制御器を装着している使用者を図解している。
【図６】電気コードが取り外された、図５における制御装置、又は制御器の斜視図を示す。
【図７】充電器の１実施形態を斜視図で示し、充電器の充電位置に連結された制御装置又は制御器を図解している。
【図８】図７における制御装置及び充電器の電子構成の１実施形態を配線図で示す。
【図９】ヘッドギア組立品の別の実施形態を分解組立斜視図で示し、組立前に内壁上部に位置付けられる外壁を有するシェルユニットの１実施形態を図解している。
【図９Ａ】図９の線９Ａ−９Ａに沿って十分に獲得される組立てられたシェルユニットの断面図を示し、内シェルに形成される上部開口部、前部開口部、及び多数のプレナム、又は半球体状開口部を流動的に連結する風洞を図解している。
【図１０】組立てられたシェルユニットの底面又は平面図を示し、図９における組立てられたシェルユニットの底面を図解している。
【図１１】ヘッドギア組立品における、１つの代替実施形態を側面斜視図で示す。
【図１２】ヘッドギア組立品における、別の代替実施形態を側面斜視図で示す。
【発明を実施するための形態】
【０００６】
Ｉ．外科手術用防護組立品
図面を参照すると、図１は外科手術用防護組立品１００の１実施形態を図解している。外科手術用防護組立品１００は、幾つかの組立品、部分組立品、及び構成部品を含み、それらは１つの組立品又はシステムを形成するために、相互に接続及び結合され得る。具体的には、外科手術用防護組立品１００は、（ａ）ヘッドギア組立品２００、（ｂ）ヘッドギア組立品２００に取り外し可能に取り付けられるフェイスシールド３００、（ｃ）ヘッドギア組立品２００に装着される調整可能な頭部固定組立品４００、（ｅ）ヘッドギア組立品２００とフェイスシールド３００とに取り付けられる外科手術服５００、（ｆ）ヘッドギア組立品２００に動作可能に連結される制御装置６００、及び（ｇ）制御装置６００と同様な多数の制御装置と共に作動可能である充電器又は充電装置７００（図７参照）、を含む。
【０００７】
図１に示されるように、使用者１０２は、作業面１０４上で作業を実施するために、外科手術用防護組立品１００の構成要素を、装着及び使用することができる。具体的には、調整可能な頭部固定組立品４００は、使用者の頭部にぴったり適合し、使用者の頭頂部を覆い、使用者の顔前面を防護するヘッドギア組立品２００及びフェイスシールド３００を支持する。さらに、外科手術服５００は、防護システム１００のその他構成要素及び付属品を覆うように使用することができ、一方で使用者１０２の胴、腕、及び下半身を防護するように構成され得る。したがってこの実施形態に示されるように、外科手術服５００、ヘッドギア組立品２００、及びフェイスシールド３００は、作業面１０４上及びその環境内で直面するかもしれない破片及び汚染物質から、使用者をより防護するために共働する。同様に、外科手術服５００、ヘッドギア組立品２００、及びフェイスシールド３００は、使用者１０２から患者の手術部位に落ちるかもしれない破片及び汚染物質に対して、作業面１０４に置かれている患者をより防護するために共働する。
【０００８】
ＩＩ．ヘッドギア組立品
図２〜図２Ｆに示されるように、ヘルメット又はヘッドギア組立品２００は、シェル又はシェルユニット２０２を合成したツーピースヘルメットを含み、シェルユニット２０２は、任意の好適な数の連結要素、又は１つの構成要素、統合されたヘルメットから構成されることが出来る。通常の作業及び着用の間、シェルユニット２０２は、頭頂部と隣接する内表面２０４（図２Ａ参照）と共に、使用者の頭部の前部に置かれている。図１に示されるように、シェルユニット２０２は使用者の目の高さ及び目の高さより上に置かれている。この構成は使用者に障害物の無い視界を残し、そして使用者頭部の後部及び側部に、頭部を冷却するために多くの空気に触れるための開口部を残す。通常、シェルユニット２０２の構成要素は、熱成形及び射出成型技術を利用して製造されるが、寸法又は所望の構造特性によって、ブロー成形及び真空成形技術が交互に使用されても良い。
【０００９】
Ａ．シェルユニット
図２に示されるように、１実施形態におけるシェルユニット２０２は、（ａ）湾曲した外壁又は外シェル２０６である外側プレナム、（ｂ）外シェル２０６と連結された湾曲した内壁又は内シェル２０８である内側プレナム、及び（ｃ）内シェル２０８によって支持される空気搬出器又は空気流動装置２１０を含む。
【００１０】
ｉ．外シェル
図２Ａに示されるように、外シェル２０６は概してヘルメット形状をした頭部分を有し、前記頭部分は、シェルユニット２０２が通常の作業で装着されるとき、使用者の額に位置合わせし、覆い被さるバイザー部分２１２を有する。外シェル２０６は、バイザー部分２１２の正反対及び末端に形成されるリア部２１４を更に備え、前記バイザー部分は、シェルユニット２０２が通常の作業で装着されるとき、使用者の後頭部に近接して置かれている。
【００１１】
外シェル２０６は、シェルユニット２０２の頭頂部２１８内に、空気網又は空気孔を形成する多数の吸気口２１６をさらに含む。多数の吸気口２１６は、空気流動装置２１０（図２及び図２Ｂ参照）及び、外気又はその他換気源の間を連結する流動体を備える。本実施形態における外シェル２０６は、１つ又はそれ以上の起伏部、又はリッジを含むように形成又は成形されるか、又は別様に含み、前記起伏部又はリッジは、多数の吸気口２１６からバイザー部分２１２及びリア部２１４の両方に向かって延在している。リッジ２２０は、例えば外シェルに対する構造的な補強、及び剛性を提供するなどの様々な機能を果たす。
【００１２】
１つの実施形態において、外科手術用防護組立品１００が使用に際して装着されるとき、リッジ２２０は、外シェル表面２３２から外科手術服５００に向かって実質的に垂直に延在する。図２Ｆに示されるように、外シェル２０６及び内シェル２０８間における形状及び曲率上の相違は、中央風洞又は通気道２２１を形成する。さらにリッジ２２０の内部は多数の風洞又は通気道２２２を形成し、前記多数の風洞又は通気道２２２は外シェル表面２３２から延在し、中央風洞２２１の容積全体を膨張、又は増加させる。中央風洞２２１及び／又は通気道２２２は、順に、多数の吸気口２１６及び空気供給システム２１０を通って、シェルユニット２０２の外縁に沿って形成される排気口で外気又は換気源と流動的に連結する。
【００１３】
１つの実施形態において、通気道２２２は等角部材２２２ａで密封されており、該等角部材２２２ａは、１つの連続した空間として中央通気道２２１を形成することを更に助け、２つのシェル２０６及び２０８間での層流を助長する。２つのシェル２０６及び２０８の寸法及び曲率上の差異が、中央通気道２２１及び通気道２２２の形状及び大きさを修正するのに変更され得ることは理解されるだろう。
【００１４】
外シェル２０６は、外シェル表面２３２に一体化して形成されるシールド係合組立品２２６を更に含む。シールド係合組立品２２６は、バイザー部分２１２及び外シェル表面２３２の側面部２２４に沿って形成される１対の固定装置、拘束器又は錠の中で、他には連結される、中央アライナー又は中央位置合わせガイド２２８を含む。通常の作業中において、シールド係合組立品２２６は、シェルユニット２０２及び使用者の顔に対してフェイスシールド３００を位置合わせし、固定する。（図２及びＩＩ−Ｂ項参照）
【００１５】
中央位置合わせガイド２２８は、外シェル表面２３２を越えて突出し、溝又はポケット２３４を形成する。ポケット２３４は、フェイスシールド３００の位置合わせ係合部、又はタブ３０２（図３Ａ及び図３Ｂ参照）と係合するような大きさとされる外シェル２０６内に、窪み又はチャンバーを形成する。それぞれの側面固定装置又は側面ロック２３０は、（ａ）拘束スロット又は固定スロット２３６を形成する拘束壁、及び（ｂ）拘束係合部又は固定タブ２３８を含む。固定スロット２３６及び固定タブ２３８の組み合わせは、フェイスシールド３００における固定スロット３０４及び固定タブ３０６に対応して係合するように寸法及び位置を決められる。
【００１６】
フェイスシールド３００及びヘッドギア組立品２００が使用に際して組立てられるとき、位置合わせタブ３０２は、スナップフィット及び雄雌ネジの協力的な構成で、位置合わせガイド２２８のポケット２３４と係合する。具体的に、ポケット２３４は、外シェル２０６に対して、フェイスシールド３００を垂直及び水平両方に位置合わせするように、位置合わせタブ３０２を捕捉及び係合する。同様に、フェイスシールド３００上に形成される固定タブ３０６は、外シェル２０６内に形成される固定スロット２３６内でスライド自在に又は取り外し可能にパチンと鳴らし、一方で固定タブ２３８は固定スロット３０４に対応してパチンと鳴らす。したがって、ロック２３０の各要素は、フェイスシールド３００上に形成される要素と対応して雄雌ネジと関連付けながら係合する。これらの雄雌ネジ固定関係は、例えば留め金又は接着剤のような付加的な結合機構を必要とせず、フェイスシールド３００を外シェル２０６に（及びシェルユニット２０２全体に）取り外し可能に付加する役割を果たす。
【００１７】
ｉｉ．内シェル
図２及び図２Ｂに示されるように、内シェル２０８は、外シェル２０６の内表面２４０（図２Ａ参照）と係合するように寸法を決められる。内シェル２０８は、内シェル２０８の側面部２４４及びリア部２４６各々によって形成されるように、その周囲に沿って構成されるリッジ又は起伏壁２４２を含む。起伏壁２４２は内シェル表面２４８を越えて延在し、中央通気道２２１及び通気道２２２（図２Ｆ及びＩＩ−Ｂ（ｉｉｉ）項参照）の形成を助ける。起伏壁２４２は多数の突起を含み、多数の突起又はリッジ２５０は、例えばリッジ２２０の風洞又は通気道２２２のように、内側と係合するように位置合わせ及び寸法を決められる。具体的に、内シェル２０８が外シェル２０６内で位置合わせされるとき、起伏壁２４２及びリッジ２５０は内部固定手段で通気道２２２と係合する。内部固定構成は、内シェル２０６の側面部２４４及びリア部２４６に向かう方への気流を妨げる。気流は順々に、使用者の顔に隣接した排気口２２４に向かって、内シェル表面２４８に沿って方向付けられる。
【００１８】
中央通気道２２１及び通気道２２２における多くの異なる構成は、リッジ２２０及び起伏壁２４２に沿って形成される、リッジ２５０に対応した形状及び構成を変更することによって可能となることは理解されるべきである。例えば、リッジ２２０ａ及び２５０ａとして、明確にする目的で識別される１対のリッジ２２０及び２５０の１つは、シェルユニット２０２の側面部２４４に沿って空気を排出するように設計及び製造をされても良い。具体的には、リッジ２２０ａの内部（もしそのような通気道がこれらの代表図において明らかであれば、通気道２２２ａに対応する）は阻害されず、ないしは内シェル２０８の側面部２４４に沿った気流を可能にするリッジ２５０ａによって係合されなくても良い。この手段において、気流及び通気は、顔の前面及び側面の全体を覆って、使用者に提供されることが出来る。
【００１９】
ｉｉｉ．空気流動装置
ヘッドギア組立品２００に組み入れられ得る空気流動装置２１０の１実施例は、図２Ｃに示される回転翼２５２であり、もっとも他の、例えば好適なファン及び送風機などの機構が使用されることもできる。回転翼２５２は、内シェル２０８の内シェル表面２４８の搭載壁２５４によって支持される。
【００２０】
図２Ｃ〜図２Ｅに示されるように１つの実施形態において、回転翼２５２は、（ａ）順々に搭載壁２５４によって支持される固定した支持物、又は下部フレーム２５５に連結される電気モータ２６０、及び（ｂ）フレーム２５５の一部を覆う回転ユニット２６２を含む。下部フレーム２５５は、モータ２６０を覆い、モータ２６０のドライブシャフト２６６を受けるモータハウジング２６４を有する。回転ユニットは、（ａ）ドライブシャフト２６６を受け、固定されるドライブシャフト連結器２６７、（ｂ）ブレード支持フレーム２６８、及び（ｃ）支持フレーム２６８に支えられ、回転軸線ＣＬ付近に構成される、曲線を成す多数のプロペラ又はブレード２５６を有する。電気モータ２６０は、所望の回転速度で回転ユニット２６２を動かすように寸法を決められる。電気モータ２６０は、例えば、比較的静かに、効率的に回転ユニット２６２を動かすように寸法を決められる低電力ブラシモータなどの、任意タイプの好適なモータであって良いことが理解されるべきである。
【００２１】
１つの実施形態において、ブレード２５６の形状又は構成は、空気流動装置２１０の静粛性及び効率性を高め、順に外科手術用防護組立品１００全体に起因し得る注意力を高め、さらに換気性能、及びシステムの全体的な耐久性又は効力を同時に高める。図２Ｄ及び図２Ｅに示されるように、曲線を成すブレード各々は、概して半円形状、三日月形状、及び鎌型形状のフィン構成をし、空気又はその他の圧縮した液体を、指定の又は様々な圧力で中央通気道２２１及び通気道２２２に押し込むような構成とされる。図示される実施例において、矢印Ａによって示されるように、回転ユニット２６２は時計回りに動き、曲線を成すブレード２５６は、各ブレードの先端領域２７０が、空気又はその他の圧縮した液体と初期接触するような方向に導くように構成される。回転翼組立品２５２の曲線を成すブレード２５６は、多数の吸気口２１６を通って空気を吸引する低圧領域を作る。その空気は、曲線を成すブレード２５６の誘導面又は先端領域２７０に沿って、中央通気道２２１、通気道２２２及び排気口２２４の方へ押し込まれ、圧縮される。この方法においてその空気は、ヘルメットのリア部２１４又はヘッドギア組立品２００から、バイザー部２１２及び排気口２２４へ向かって循環又は移動する。この移動及び循環は、使用者１０２の顔に近接した冷気及び換気気流を提供する。
【００２２】
１つの実施形態において図２Ｅに示されるように、各ブレード２５６は、エアフォイル型形状又は涙型形状２５８に形成され、それらの形状は、（ａ）放物線状の誘導壁２５８ａ、及び（ｂ）内側頂点エッジ２５８ｃで放物線状の壁２５８ａに結合する従属壁２５８ｂ、によって形成される。ブレード２５６の上壁２５８ｄは部分的に三角形状領域を有し、放物線状の壁２５８ａが従属壁２５８ｂに出会う指定された頂点を有する。エアフォイル型形状は、多数の吸気口２１６を通って吸引された空気に対して回転されるときに反作用力を提供し、空気流動装置２１０の効率性及び空気圧を高めることができる。高められた空気圧は、通気道２２２を通る気流及び換気を高める結果を導く。ブレード２５６におけるこのエアフォイル型形状は、空気流動装置２１０から発生する騒音レベルを低減するという利点も有する。
【００２３】
図２Ｆを参照すると、中央通気道２２１及び通気道２２２は、外シェル表面２３２及び内シェル表面２４８の間に形成される概略形状におおよそ対応した曲線を成す空間を形成する。中央通気道２２１及び通気道２２２が、起伏壁２４２及び内シェル表面２４８の間のリッジ２２０及び／又は空間の構成を変える事によって、単に拡大又は縮小しても良いということは理解されるべきである。さらにこの断面図は、外シェル２０６の側面部に沿って形成された固定スロット２３６を示している。明らかに参照されるように、固定タブ３０６は、シェルユニット２０２にフェイスシールド３００を固定する為に固定スライド２３６内に延在する。
【００２４】
Ｂ．代替的なシェルユニット構造
図９及び図９Ａに示されるように、シェルユニット２０２（図２参照）の代替実施形態は、シェルユニット９０２として特徴付けられている。シェルユニット９０２は、（ａ）外側湾曲壁又は外シェル９０６、及び（ｂ）外シェル９０６に結合される内側湾曲壁又は内シェル９０８を含む。空気流動装置２１０（図２参照）が、図２、図２Ｂ及び図２Ｃと関連して開示されるように、内シェル９０８によって支持されても良いことは理解されるだろう。
【００２５】
ｉ．外シェル
図９に示されるように、外シェル９０６は、概してヘルメット型の頭部を有し、頭部はシェルユニット９０２が通常的に作業で装着されるとき、使用者の前方に位置合わせし、覆い被さるバイザー部９１２を含む。外シェル９０６は、バイザー部９１２の反対側、及び遠位部に形成されるリア部９１４をさらに含み、該バイザー部はシェルユニット９０２が通常に作業で装着されるとき、使用者の後頭部に近接して置かれている。
【００２６】
外シェル９０６の上部又は頭頂部９１８は、空気網又は空気孔を形成する、多数の上部開口部又は吸気口９１６を含む。図示された実施形態において、吸気口９１６は多数の同心円に構成される。しかしながら、吸気口９１６がシェルユニット９０２及びその周囲の間に制限されない気流を許し、及び／又は促す任意の所望の寸法で構成されても良いことは理解されるだろう。外シェル９０６は、吸気口９１６から離れてバイザー部９１２及びリア部９１４の方へ延在する多数の起伏部又はリッジ９２０を含む。
【００２７】
図９Ａの断面図に示されるように、リッジ９２０は、外シェル９０６の外シェル表面９３２から離れて実質的に垂直に延在し、中央通気道又は風洞９２１を形成する内シェル９０４と共働する。さらに、リッジ９２０各々の内側は、個々の通気道又は風洞９２２を形成し、通気道又は風洞は外シェル表面９３２から離れて延在し、中央通気道９２１の全体容積を拡大、又は増加させる。中央風洞９２１、及び／又は個々の風洞９２２は、例えば図２及び図２Ｂの空気供給装置２１０などの吸気口９１６及び空気流動装置を介して、シェルユニット９０２の周縁部に沿ったバイザー部９１２に近接して形成される排気口９２４で外気と流動的に結合するように構成される。２つのシェル９０６及び９０８における寸法及び曲率の相違が、中央通気道９２１及び／又は通気道９２２の形状及び大きさを修正するために変更され得ることは理解されるだろう。
【００２８】
外シェル９０６は、外シェル表面９３２に一体化して形成されるシールド係合組立品９２６をさらに有する。シールド係合組立品９２６は、外シェル表面９３２と共に一体化して支え、形成される中央アライナー又は中央位置合わせガイド９２８を含み、外シェル表面は、外シェル表面９３２の側面部９４４に沿って形成されたバイザー部９１２、及び一対の固定装置、固定制限、固定ロック９３０に近接する。ＩＩ−Ｂ項及び図２に示されるように、シールド係合組立品９２６は、通常作業においてシェルユニット９０２及び使用者の顔に対して、フェイスシールド３００を位置合わせされ、固定する。
【００２９】
ｉｉ．内シェル
図９は、外シェル９０６（外シェル９０６及び内シェル９０８の平面組立図として図１０参照）の内表面９４０と係合するように位置合わせされ、寸法を決められる内シェル９０８を示す。内シェル９０８は、側面部９４４及びリア部９４６によってそれぞれ形成される、その外辺部沿い及び周囲に位置するリッジ又は起伏壁９４２を含む。起伏壁９４２は内シェル表面９４８を越えて延在し、中央風洞９２１及び風洞９２２（図９Ａ参照）の形成を助ける。起伏壁９４２は、例えば通気道又は風洞９２２など、リッジ９２０の内部とインターロック手段で係合するように位置合わせ及び寸法を決められる、多数の小円鋸歯状突起又はリッジ９５０を含む。このインターロック構成は、内シェル９０６の側面部９４４及びリア部９４６へ向かう、望まない又は方向の定まらない気流を低減する。
【００３０】
前述されるように、内シェル表面９４８は、中央風洞９２１及び風洞９２２の、基部又は下部を形成する。シェルユニット９０２が使用者の頭頂部に位置されるとき、内シェル表面９４８は、使用者の頭頂部に対して実質的に近接及び／又は平行に位置合わせされる。内シェル表面９４８は、多数の流体用開口部、孔、又はドーム型開口部９５２を形成する。ドーム型開口部９５２は、内壁９０８の円蓋、又はアーチ状領域に位置付けられる。多数の流体用開口部又はドーム型開口部９５２は、中央風洞９２１、風洞９２２、及び内シェル表面９４８の内側９５４の間に、多数の通気道又は流動的な結合を提供する。作業中、空気流動装置２１０、及び回転ユニット２６２は、吸気口９１６、すなわち外シェル９０６、中央風洞９２２、及び風洞９２２における開口部を通ってその周囲から空気を吸引する。中央風洞９２１及び風洞９２２内における空気は、順に分配され、送られ、ないしは排気口９２４、すなわち内シェル９０８、外シェル９０６、及び内シェル表面９４８に形成される多数のドーム型開口部の間に形成され開口部又は排出部に提供される。このようにして空気は、排出部９２４及び多数のドーム型開口部９５２それぞれを介して、使用者の顔、及び頭頂部に提供されることが出来る。この増やされた気流又は比較的大容量の気流は、使用者に改善された作業環境を提供するために、外科手術用防護組立品１００における環境を調節する。１つの実施形態において、ドーム型開口部は、体温及び発汗を下げるために、使用者の頭頂部からの熱伝達を実質的に増加させる。
【００３１】
１つの実施形態において、多数のドーム型開口部９５２は、内シェル表面９４８に沿って均等に及び一様に分配、又は整えられることができる。あるいは多数のドーム型開口部９５２は、使用者頭部所望の領域に空気を方向付け、又は押込むための内シェル表面９４８の表面に沿って型を成し、構成され、形成される事ができる。例えば図９に示されるように、多数のドーム型開口部９５２の第一部９５２ａは、実質的に三角形状模様又は配列９５２ｃ（破線で示される）を形成し、前記三角形状模様又は配列は、使用者の前頭部に空気を方向付けるための排気口９２４に対して、実質的に平行に位置合わせされる基部を有する。同様に、多数のドーム型開口部９５２の第二部９５２ｂは、起伏壁９４２及び側面部９４４に近接して線形的に位置合わせされ、気流を使用者の側頭部へ方向付ける。
【００３２】
１つの実施形態において、多数のドーム型開口部９５２は、気流を使用者の頭頂部へ向けて方向付け又は加速させる、１つ又はそれ以上のノズル又はベンチュリ管を含み得る。ノズル又はベンチュリ管は、内シェル表面９４８の構成要素として一体化して形成されても良く、もしくは１つ又はそれ以上の個々のドーム型開口部９５２によって支持され、又はそれと共働する付加要素又はグロメットであっても良い。空気流動装置２１０の容量及び／又は流速によって、中央風洞９２１及び風洞９２２内で流体用開口部９５２及び排気口９２４を通って、超過気圧が、空気を更に押し込み又は方向付ける為に産み出されても良い。
【００３３】
図１０は、内シェル９０８及び外シェル９０６各々の平面組立図を示す。詳細には、図１０は、内シェル９０８が外シェル９０６と共働するとして、内シェル表面９４８の内側９５４を強調している。外シェル９０６は、内シェル９０８（図９参照）上に形成されるリップ又はエッジ９５８と対応して、共働又は支えるように構成されるリップ又はエッジ９５６を含んでも良い。１つの実施形態において、これら２つのリップ９５６、９５８は、外シェル９０６内で、内シェル９０８を固定又は保持するためのスナップフィット構成で共働しても良い。あるいは、内シェル９０６及び外シェル９０８は、接着、リベット締めされても良く、他方、様々な機械的又は化学的な締結技術を利用して共に固定されても良い。
【００３４】
滑らかな結合部又はリッジ９６０は、起伏壁９４２及び内シェル表面９４８の間に交差部分を形成する。起伏壁９４２及び内シェル表面９４８間の距離又は深さは、滑らかな結合部９６０の大きさ、及び中央風洞９２１と風洞９２２との全体的な容積を決定する。例えば、起伏壁９４２及び内シェル表面９４８間の距離もまた増加するとき、滑らかな結合部の半径方向サイズも増加し、順に、中央風洞９２１及び風洞９２２の容積も増加する。滑らかな結合部９６０は、鋭利で不快な場所、又は使用者の頭部及び頭皮を刺激する角が生じる可能性を更に減少させる。
【００３５】
図９Ａ及び図１０は、モータカバー及びコードガイド９６２を更に示し、それらはモータハウジング２５４及びモータ２６０と共働する。コードガイド９６２は、モータ２６０を囲み、隠すように寸法を決められる被覆部９６４、及びモータ２６０に結合される電気コード６０６（図１参照）を案内する管路部９６６を含む。被覆部９６４及び管路部９６６の周縁部に沿って形成されるリップ９６６は、好適な拘束又は結合表面を備え、モータハウジング２５４及びコードガイド９６２は、そこに結合されても良い。例えば、モータハウジング２５４及びコードガイド９６２は、リベット、留め鋲、又はブラケットなどの機械的な手段を使って結合されても良く、あるいは取り外し可能な接着剤又はエポキシ樹脂を使って結合されても良い。構成要素がどのようにして共に結合されるかに関係なく、モータハウジング２５４及びコードガイド９６２は、開いた管路部又は通気道９７０を形成するために共働し、電気コード６０６はそこを通って位置付けられても良い。この開いた管路部又は通気道９７０は、使用者が作業又は手術をしている間の思いがけない交錯を防ぐため、例えば使用者の背中に垂らすなど、所望の位置に電気コード６０６を案内する。したがってコードガイド９６２は、シェルユニット９０２及びヘッドギア組立品２００全体の有用性及び使い勝手を良くする。
【００３６】
１つの実施形態は、外科手術用ヘッドギア組立品９０２の製造方法を含む。図９Ａを参照すると、前記製造方法は、
（ａ）外壁９０６を内壁９０８に結合する段階であって、これにより
（ｉ）外シェル９０６及び内シェル９０８間に少なくとも１つの通気道９２１を有し、
（ｉｉ）結合された外壁９０６及び内壁９０８が前端部９８０、リア部９８２、及び前開口部９２４が通気道９２１と流動的に連結される前端部９８０と、実質的に近接する前開口部９２４を有する、
段階と、
（ｂ）上部開口部９１６が通気道９２１と流動的に連結されるように、外壁９０６に上部開口部９１６を形成する段階と、
（ｃ）ドーム型開口部９５２が通気道９２１と流動的に連結されるために、例えばオリフィス通路９５２ｃの形成などの多数のドーム型開口部９５２を形成する段階と、
を含む。
【００３７】
この製造方法は任意の好適な製造工程を含み、金型成形、溶接、穴開け、又は切削技術に限定されない工程を含む。
【００３８】
１つの実施形態において、オリフィス通路９５２ｃは格子状又は１組の比較的小さな開口部９５２を含み、それらは一様なパターンで内壁９０８部上に分配される。１つの実施形態において、内壁９０８は、内壁９０８を通って空気を透過させることが出来る透過性表面を含む。透過性表面は、メッシュ構造体、濾紙状、又は格子状の枠組みを含み得る。
【００３９】
１つの実施形態において、外科手術用ヘッドギア組立品９０２は気流媒介変数を有し、ヘッドギア組立品９０２が、使用者の顔の上を通る指定された気流、及び使用者の頭頂部へ指定された気流を送ることを可能にする。この気流媒介変数はとりわけ、（ａ）前開口部９２４の指定された大きさ、形状、及び構成と、（ｂ）通気道９２１の指定された大きさ、形状、及び構成と、（ｃ）ドーム型開口部９５２の指定された数量と、（ｄ）ドーム型開口部９５２の指定された大きさ、形状、及び構成と、によって決まる。気流媒介変数は、ドーム型開口部９５２での圧力と比べて、前開口部９２４での圧力に関して、好適な気圧比を有する。
【００４０】
１つの実施形態において、図１０に示されるように、外科手術用ヘッドギア組立品９０２は、多数の適切に寸法決めされ、構成されたオリフィス、又は開口部（図示せず）を形成し、それらは外科手術用ヘッドギア組立品９０２の下面、又は内面の表面領域全体に亘って構成される。例えば１つの実施形態において、外科手術用ヘッドギア組立品９０２のエッジ９５８は多数のオリフィス又は開口部（図示せず）を形成する。外シェル９０６及び内シェル９０８の任意の部分が、通気道、流体通路、又はその他開口部を含み得て、それらは使用者にとっての十分な環境制御を可能にするように適切に寸法決めされ、構成され、定量化されるということは理解されるべきである。
【００４１】
１つの実施形態において、図９、図９Ａ及び図１０に示されるように、外科手術用ヘッドギア組立品、又はシェルユニット９０２は、ヘッドギア組立品２００のあらゆる部分、部品、及び要素を含む。ここに開示される任意の実施形態（又はそれの部位）が、外科手術用防護ヘッドギア組立品のその他好適な実施形態を形成するのに、入れ替え、組み合わせられることができることは理解されるべきである。
【００４２】
Ｃ．フェイスシールド
図３を参照すると１つの実施形態において、フェイスシールド３００は、位置合わせタブ３０２、中心線ＣＬ（図３Ａ参照）に対して十分に対称に形成される１対の固定スロット３０４、及び固定タブ３０６を一体して含むように形成される。この実施形態のフェイスシールド３００は、２つの独立した平面方向、及び十分に対照的な平面方向で曲線を成すバブル状、又はトロイダル形状のシールドであり、前記平面はそれ自身の平面における軸に対する閉じた曲線回転、しかし交差、又は包含しないことによって作られる。図３に示される１つの実施形態において、フェイスシールド３００はｙ軸３０７に対する第一曲線、及びｚ軸３０９（図３のデカルト座標に対して示される）に対する第二曲線を有する。フェイスシールド３００の曲線は、使用者の視野に亘る視覚の歪みを減らすために、曲線機能としてより薄い材料厚さを変更することによって光学的に補正される。
【００４３】
フェイスシールド３００は、１対の固定タブ３０４、及び固定スロット３０６の一方をそれぞれ支持する第一アーム３０８を含み、フェイスシールド３００は、１対の固定タブ３０４、及び固定スロット３０６の他方をそれぞれ支持する第二アーム３１０を含む。上述のように、フェイスシールド３００をヘルメット、又はヘッドギア組立品２００に固定するため、位置合わせタブ３０２は、シェルユニット２０２に対してフェイスシールド３００を中心出し、及び支持するポケット２３４内に挿入され、及びポケット２３４と共働する。同時に、第一アーム３０８、及び第二アーム３１０上の固定タブ３０４、及び固定スロット３０６それぞれは、雄雌固定関係にあるシェルユニット２０２、９０２の各側面ロック２３０、９３０に嵌め込み、又は係合する。
【００４４】
図３Ａに示されるように、外科手術服５００は、フェイスシールド３００の周縁部、又は端部付近に形成される付着領域３１２に沿ってフェイスシールド３００を装着する。付着領域３１２は、外科手術服５００の繊維が、例えばベルクロなどのフック状ファスナー及びループ状ファスナーを使用して、連結、裁縫、嵌合、及び結合され得る場所、又はフェイスシールド３００に取り外し可能に装着される場所を指す。１つの実施形態において、付着領域３１２は、シェルユニット２０２、９０２の位置合わせ、及び装着を容易化する、第一アーム３０８、及び第二アーム３１０を含まない。外科手術服５００を付着領域３１２に固定することによって、残った布地は、ヘッドギア組立品２００を覆うため使用者の頭から、及びバブル形状フェイスシールド３００を介した良好な視界を提供するため使用者１０２の肩から被って着られる事が出来る。
【００４５】
図３Ｂに示されるように１つの実施形態において、フェイスシールド３００は、フェイスシールド３００の内表面３１８上に表示領域３１６を含む。表示領域３１６は、画像情報３１４を表示するように、又は光源として役割を果たすように構成されることが出来る。表示領域３１６は、使用者の周辺視野内に表示するように寸法決めされ、及び位置決めされることができ、又はその用途によって使用者の全体視野を包含するように拡大されても良いことは理解されるべきである。例えば、表示される画像情報、又は画像３１４は、文章、記号、患者の動態統計、処置又は作業の経過時間、組立図、又はテレプレゼンスシステムを介して共有される情報であっても良い。この実施形態において、表示領域３１６は、例えばＬＣＤスクリーンなどの表示スクリーン装置（図示せず）であっても良く、これは動作可能に表示処理装置３１７に結合される。１つの実施形態において、光源３１４は、使用者の目の動きを捉え、表示処理装置を介してその動きを分析するように位置付けられる、センサを使用して網膜的に制御される。
【００４６】
図３Ｃに示されるように１つの実施形態において、フェイスシールド３００は、付加装置を支持するように適合される。具体的には、フェイスシールド３００は、光、微光視界強化装置、拡大鏡、又はその他所望の機器を、係合又は搭載する外表面３２２に形成される１対の装着点又は装着台３２０を含む。装着台３２０は、補助ハードウェア、又は装置を支持できる任意の所望の構造体であり得ることは理解されるべきである。例えば装着台３２０は、ねじ切りされた孔、クリップ、支柱、切れ込み、フック、又はその他好適な搭載構造体であっても良い。
【００４７】
図３Ｄに示されるように１つの実施形態において、フェイスシールド３００は指示部、又は指示装置３２４を含み、それは使用者１０２の画像指示と順応するように適合される画像を修正する特徴を含む。ここで指示装置３２４は、画像修正シート又は拡大鏡を含み、使用者はフェイスシールド３００の内表面に取り外し可能に装着することができる。この画像修正シートは、使い捨て可能であり、静電気力、接着剤、又はその他好適な方法でフェイスシールド３００に装着され得る。あるいは、フェイスシールド３００の構成は、使用者１０２にとって特別に適合された画像修正特性を含み得る。どちらか一方の場合において、フェイスシールド３００のこの実施形態は、作業実施中において、眼鏡、ゴーグル、及びコンタクトレンズを装着する必要性を排除できる。
【００４８】
図３Ｅに示されるように、シェルユニット２０２の外シェル又は外壁２０６は、内シェル又は内壁２０８、及び回転翼２５２を、参照表示Ａによって示される線に沿って位置合わせする。同様に、フェイスシールド３００の位置合わせタブ３０２は、外シェル２０６内に形成されるポケット２３４を、参照表示Ｂによって示される線に沿って位置合わせする。固定スロット３０４及び固定タブ３０６は、参照表示Ｃによって指定される線で示されるように、外シェル２０６の側面部に沿って形成される固定タブ２３８及び固定スロット２３６を位置合わせ、及び係合する。外科手術用防護組立品１００のこれらサブシステムは、単一に統合されたユニットを形成するように、相互連結及び結合されることができ、使用者の頭上から装着され得る。フェイスシールド３００のシステム及び要素は、上述される同様の方法で、シェルユニット２０２、又はシェルユニット９０２のどちらか一方と共働、又は搭載されることが出来る。
【００４９】
Ｄ．調整可能な頭部固定組立品
図４、図４Ａ及び図４Ｂを参照すると、調整可能な頭部固定組立品４００は、（ａ）バイアス部材、緩衝材、又は変形可能な連結器４４４を介してシェルユニット２０２に連結される頭部支持組立品４０２、及び（ｂ）頭部支持組立品４０２に結合される張り装置組立品４０４、を含む。頭部支持組立品４０２は、（ａ）シェルユニット２０２の重量を使用者の頭部に伝達する上部支持バンド４０６、及び（ｂ）使用者の前頭部及び側頭部に対してシェルユニット２０２を固定する前額部又は下部バンド４０８、を含む。
【００５０】
張り装置組立品４０４は、（ａ）下部バンド４０８にスライド自在に結合される複アーム張り装置組立品４１０、（ｂ）使用者が張力度合いを調整できる張り装置４１２、及び（ｃ）複アーム張り装置バンド４１０と張り装置４１２とを頭部支持組立品４０２に移動可能に結合するように構成される張力バンド、フレキシブルフォース伝達器、又はコード４１４、を含む。
【００５１】
ｉ．頭部支持組立品
図示されるように、頭部支持組立品４０２は、使用者の頭頂部に近接して置く上部支持バンド４０６、及び使用者の前額部とこめかみ領域とに近接して置く下部バンド４０８で装着されることを意図されている。頭部支持組立品４０２が、シェルユニット内に様々な方法で固定されても良いことは理解されるべきである。例えば、頭部支持組立品４０２は、各構成要素のモジュール式組立を可能にするのに、ヘッドギア組立品２００内で内シェル２０８に直接固定されても良い。あるいは、頭部支持組立品４０２は、外シェル２０６の内表面に直接固定されても良く。その結果内シェル２０８は邪魔物のない状態となる。
【００５２】
図４、図４Ａ、及び図４Ｂの実施形態で示されるように、頭部固定組立品４００及びヘッドギア組立品２００が使用に際して共働しているとき、下部バンド４０８は、第一端部４１６及び第二端部４１８がバイザー部２１２から離れて延在するように、使用者の頭部周辺を包む。この実施形態における上部支持バンド４０６はＹ型形状のバンドであり、使用者の頭頂部に沿って延在し、シェルユニット２０２内で前部を後部に位置合わせされる。Ｙ型形状の上部支持バンド４０６は、第一支持アーム４２０、第二支持アーム４２２、及び調整アーム４２４を含む。
【００５３】
組立てられるとき、第一支持アーム４２０及び第二支持アーム４２２各々は、使用者のこめかみに近接する下部バンド４０８に装着され、又はリベット留めされる。薄型リベット又はその他好適なファスナー４３６ａは、圧点を突く、作り出す、又はその他使用者が不快に感じる根源を減らすための、頭部固定器４００の部品を結合するのに使用されることが出来る。加えて、柔軟で変形可能な快適バンド４４６は、緩衝部材、及び吸汗部材として作用するように、構成部品に装着されることができる。
【００５４】
第一支持アーム４２０、及び第二支持アーム４２２のそれぞれは、第一フレキシブルサブアーム４２６及び第二フレキシブルサブアーム４２８をそれぞれ含む。明確にするため、以下の説明は、第一支持アーム４２０、それに連結される第一フレキシブルサブアーム４２６と第二フレキシブルサブアーム４２８とに焦点を合わせる。しかしながら、第二支持アーム４２２が同一の部品を含み、同様の方法で機能することは注意されるべきである。この実施形態のフレキシブルサブアーム４２６及び４２８は、支持アーム４２０から実質的に垂直に延在する。すなわち、もし第一支持アーム４２０が平面図で示されるなら、第一フレキシブルサブアーム４２６及び第二フレキシブルサブアーム４２８は、略十字を形成するように共働する。
【００５５】
１つの実施形態において、変形可能な連結器４４４（図４及び図４Ｂ参照）は、例えば遠位端部４２６ａ及び４２８ａが閉構造体を形成して重なり合うように、第一フレキシブルサブアーム４２６を第二フレキシブルサブアーム４２８の方へ折り返し、又は曲げることで形成される。このフレキシブルなループ構造は、順に、複合シェルに対して快適にするため、支持バンド４０６及び下部バンド４０８を曲げ、切り替え、調整可能にするシェルユニット２０２に加えられる。
【００５６】
各々の変形可能な連結器４４４は、力及び重量を分配する緩衝材として機能し、それらはシェルユニット２０２及び頭部固定組立品４００を介して使用者の頭部に伝達される。このようにして、頭部支持組立品４０２はシェルユニット２０２に対して付加的な自由な動きを提供し、それによって、ヘルメット又はヘッドギア組立品２００の装着性及び快適性が向上する。下部バンド４０８は、頭部支持組立品の側面緩衝を提供するのにシェルユニット２０２内で同様に装着されることができ、又は他の実施形態において、外シェル２０６及び／又は内シェル２０８に直接装着されても良いことは理解されるべきである。
【００５７】
ｉｉ．張り装置組立品
張り装置組立品４０４のさらなる説明において、複アーム張り装置バンド４１０は、左調整可能なアーム４３０及び右調整可能なアーム４３２を含む。左右調整可能なアーム４３０、４３２それぞれは、１対の内スロット壁４３４ａ、４３４ｂを含み、内スロット壁は、それらの個別長さに沿って位置合わせされるスロット４３４を形成する。スロット４３４は、下部バンド４０８の第一端部４１６及び第二端部４１８各々の内で固定される、スロットフォロワー又は円筒型フォロワー４３６を、スライド自在に又は移動可能に受け入れるように寸法決めされている。つまり、左右調整可能なアーム４３０及び４３２は、例えば第一端部４１６及び第二端部４１８内で固定される円筒型フォロワー４３６がスロット４３４内で嵌合するように、使用者の後頭部周辺で曲げられ、包み込むことが出来る。このスライド式の関係は、複アーム張り装置バンド４１０を下部バンド４０８に対して切り替えることを可能にする。
【００５８】
さらに、複アーム張り装置バンド４１０は上部アーム４３８を含み、上部アームは上部支持バンド４０６のサブアーム４２４に移動可能に結合される。ここで、ファスナー４３６ａはスロット４３４に近接して位置付けられており、円筒型フォロワー４３６はサブアーム４２４のスロット４３４内で固定される。さらに、ファスナー４３６ａは複アーム張り装置バンド４１０の上部アーム４３８に連結されており、よって円筒型フォロワー４３６ａはスロット４３４に沿った横断をしても良い。したがって、上部アーム４３８及びサブアーム４２４の位置は、使用者によって調節可能である。この調節機能は、張り装置組立品４０４に頭部支持組立品４０２に対する調節及び切り替えを可能にし、この機能はまた、頭部固定組立品４００を使用者の頭部に適合させることを容易にする。
【００５９】
この実施形態において、張り装置又は張力調整装置４１２は、フレキシブル搭載アーム４４０を介して、複アーム張り装置バンド４１０を装着する。張り装置４１２は、手動式ノブ又は回転式ラチェット４４２を含み、それらは張りコード４１４に結合される。張りコード４１４は、下部バンド４０８の第一端部４１６及び第二端部４１８と、頭部支持組立品４０２調整可能なアーム４２４とに連結され、これらの構成要素が統一された方法で接触、及び離間することを可能にする。具体的に、張りコード４１４はスライド式ファスナー４３６ｂに連結され、順に、フォロワー４３６及び／又はファスナー４３６ａに連結されても良い。
【００６０】
回転式ラチェット４４２を回転させることによって、張りコード４１４は伸び縮み（回転方向による）させられることができ、それが頭部支持組立品４０２に掛けられた張力を増減させる。張りコード４１４を介して伝達される張力の増加は、スロット４３４に沿ってスライドする第一端部４１６及び第二端部４１８を引っ張り、又は強引に通し、それによって下部バンド４０８全体に沿って張力が増加する。同様に、張りコード４１４に沿った張力の増加は、固定アーム４３８内で固定されたファスナー４３６ａ及びフォロワー４３６に対して、スロット４３４に沿って調節アーム４２４を強引にスライドさせ、それによって、支持バンド４０６の張力及び嵌め合いが強まる。
【００６１】
図４Ｂに示されるように、張りコード４１４を介して伝達される力が増加するとき、張り装置組立品４０４は動く。詳細には、矢印ＣＷによって示されるように、回転式ラチェット４４２の時計方向回転が、力を表す矢印Ｆによって示されるように、張りコード４１４を縮めさせる。張りコード４１４の縮みは、矢印Ｔ１により示される使用者の頭部及び額周りに、下部バンド４０８の第一端部４１６及び第二端部４１８をさらに縮めさせる。同時に、縮小する張りコード４１４は固定アーム４３８に対して調整可能なアーム４２４を引っ張り、矢印Ｔ２によって示されるように、使用者の頭部に対して支持バンド４０６の全体嵌合を締め付ける。
【００６２】
図４Ａ及び図４Ｂに示されるように、張力調整装置４１２はまた、頚部、下頭部係合器、又は下頭部支持体４４８も含み、それらは、（ａ）回転式ラチェット４４２を支持するハウジング４５０、（ｂ）丸みを帯びた上壁４５２、（ｃ）上壁４５２の正反対に構成される十分に直線状の下壁４５４、及び（ｄ）比較的柔軟で快適なバンド４５６ａを有する頭部係合面４５６を含む。下頭部支持体４４８は、シェルユニット２０２、空気流動装置２１０、フェイスシールド３００、及び外科手術服５００の幾分かの重量を、使用者の頭部、又は頚部領域下部に移す。この重量移動は、使用者の頭部に掛かる重量のレバレッジ効果を低減し、順に、使用者の頚部、及び上半身の筋肉の疲労を低減する。
【００６３】
１つの実施形態において、張り装置組立品４０４に結合される頭部支持組立品４０２は、２タイプの調整装置を形成するのに、少なくとも１つの３自由度を備える。第一のタイプの調整装置である、張り調整装置は、使用者の頭部上で頭部固定組立品４００の張りを増減する装置を含む。第二のタイプの調整装置である、頭部形状調整装置は、上述されるフォロワー及びスロット処理を介して、異なるバンドアームの長さを変更できる装置を含み、使用者の頭部の様々な形状に合致（又は実質的に合致）させることができる。したがって、頭部固定組立品４００は、使用者にとって際立った快適性、及び調節機能を備える。
【００６４】
ＩＩＩ．外科手術服
図１に戻って参照すると１つの実施形態において、外科手術服５００は、上半身カバー又はフード５０２を有する、ボディースーツ又は等身大の外科手術服５０８を含む。フード５０２は、図１に示されるように、外科手術服５００の下部と一体化されることができる。ここで、外科手術用ボディースーツ５０８は、作業面１０４で遭遇するかもしれない破片及び汚染物質から、使用者を防護する付加的な前部防護を備える。あるいは、フード５０２は、図５に示されるように、任意の好適な外科手術用下半身装身具、又は手術着５０６と併せて、別々に使用されることが出来る。
【００６５】
どちらかの実施形態において、外科手術用フード５０２は、ヘッドギア組立品２００及び調整可能な頭部固定組立品４００両方を覆い、さらに使用者の肩、及び胸を覆う。図３Ａと併せて説明されるように、外科手術用フード５０２は、付着領域３１２に沿ってフェイスシールド３００と装着されることができる。フェイスシールド３００が上述の方法でヘッドギア組立品２００に位置合わせされ、及び付加されるとき、外科手術用フード５０２は通常、内外に回転されるだろう。フェイスシールド３００のヘッドギア２００への組み込み、及び位置合わせにおいて、外科手術服５０２は通常、使用者の頭部上で引っ張られ、ヘッドギア組立品２００及び調整可能な頭部固定組立品４００の露出した部品を覆う。
【００６６】
外科手術用フード５０２は好適な外科手術用繊維で製造されても良く、されは、水と、破片と、例えば血液感染性病原体及びウィルスなどのその他汚染物質との進入を防ぐ。好適な外科手術用繊維の限定されない実施形態は、繊維としても良く、それは、ＰｒｏＶｅｎｔ３０００として商業的に既知とされ、ＡｌａｂａｍａのＧｕｎｔｅｒｓｖｉｌｌｅに本社を構えるＫａｐｐｌｅｒ，Ｉｎｃ．によって販売されている。ＰｒｏＶｅｎｔ３０００は相対的に柔らかく、立体裁断型の特性を有する比較的軽い繊維であり、気体が繊維を透過するのに微少孔性の薄膜を利用している。ＰｒｏＶｅｎｔ３０００繊維は、血液浸透抵抗に対して標準化された、米国材料試験協会（ＡＳＴＭ）Ｆ１６７０−９８を満足、又は十分に満足している。外科手術用繊維は多層構造繊維とすることができ、ウィルス浸透抵抗に対して標準化されたＡＳＴＭ  Ｆ１６７１−９７Ｂを満足、又は十分に満足している。フード５０２の繊維に限定されない１つの実施形態において、繊維は約０．０８〜０．１５μｍ範囲の微細孔サイズを有する。しかしながら、繊維は任意の好適な微細孔又が構造を有し得ることは理解されるべきである。
【００６７】
外科手術用フード５０２はさらに、多数の吸気口２１６及び回転翼２５２を介して外科手術用防護組立品１００に進入する、破片及び汚染物質を防ぐフィルターとして機能しても良い。具体的に、外科手術服５００及び外科手術用フード５０２は、張り装置４１２に近接して構成され、又は使用者の後頭部及び調整可能な頭部固定組立品４００方向の任意のその他位置に構成される第一のフィルター５１０（図１参照）を含むことが出来る。第一のフィルター５１０の構成は、外科手術用防護組立品１００に進入、及び／又は抜け出る気体、又はその他液体に対して強化された濾過性能を提供する。
【００６８】
第二のフィルター５０４は、ヘッドギア組立品２００に近接する、外科手術服５００及び外科手術フード５０２に組み込まれても良く、多数の吸気口２１６を介して進入する気体に対する付加的な濾過機能（図３Ａ参照）を提供する。第二のフィルター５０４は、様々なサイズの粒子を補足及び濾過する多層構造フィルターとしても良い。さらに第二のフィルター５０４は、使用者の頭頂部全体を覆い（図５参照）、又は多数の吸気口２１６を覆うような、様々なサイズで製造されることが出来る。同様に第一のフィルター５１０は、外科手術服５００、及び外科手術フード５０２、又は任意の部分の繊維を含むように拡大されることができる。１つの実施例において、空気流動装置２１０によって産み出された気流は、第二フィルター５０４及び多数の吸気口２１６を通って外科手術用防護組立品１００に進入し、排気口２２４を介して使用者の顔を越えて流れ、第一のフィルター１００を通って外科手術用防護組立品１００から抜け出る。
【００６９】
ＩＶ．制御装置
図１、図５、及び図６に示されるように、制御装置６００は、電源制御部、速度制御入力装置６０４、及び１つ又はそれ以上の再充電可能なバッテリー６１８を有する制御部又は処理部６０２を含む。処理部６０２は、ヘッドギア組立品２００、より具体的には、電気コード６０６を介して回転翼２５２及びモータ２６０と電気的に結合されている。
【００７０】
作業中、使用者は、回転翼２５２に電力又は動力を与えるために、電源スイッチ６０４ａを係合し、又は動かす。使用者はさらに、電力調整装置又は速度制御入力装置６０４ｂを使って動力（すなわち、バッテリーにより提供される電気的なエネルギー）を増減させても良い。このようにして、回転翼２５２の速度は、電源スイッチ６０４ａを介してバッテリーから提供される電力量を変える事によって単純に制御されても良く、速度制御装置６０４ｂは、電気コード６０６を介して回転翼２５２に通信的に連結されている。
【００７１】
続けて図６を参照すると、制御装置６００は画像表示、又はバッテリー６１８内に残る、出力される電力量を提供するように構成された複数の充電レベル指示器６０８を含む。制御装置６００は出力作動装置６０８ａも含み、使用者によって作動されたときに、充電レベル指示器６０８を作動させる。あるいは、充電レベル指示器６０８は特定的に作動状態のまま、又は指定された時間量を残しても良い。制御装置６００は、プラグ（図示せず）を受け入れるように寸法決めされた電気的な連結器又はソケット６１０をさらに含み、前記プラグは電気コード６０６に形成され、又は連結されるように適合される。さらに１つの実施形態において、制御装置６００は、搭載装置、又はクリップ（図示せず）を含み、該搭載装置又はクリップは、使用者が、自分のベルト、腰バンド、又はポケット（図１及び図５参照）に制御装置６０２を装着することを可能にする。制御装置６０２は、ベルトクリップ、ホルスター（図示せず）、又はその他好適なボディ装着装置を使って使用者に装着されても良い。
【００７２】
あるいは、制御装置６００は、バッテリー６１８及び受信機６１２と通信可能に連結された送信機（図示せず）を含んでも良く、例えばそれらは図５に示されるように、手首、又はヘッドギア組立品２００内に組み込まれて装着されても良い。情報は、パーソナルエリアネットワークを確立する任意の既知の通信プロトコルを使って、受信機６１２及び制御部６０２間で通信されても良い。このようにして情報は、上述のように、受信機６１２上、又はフェイスシールド３００の内側に表示されても良い。さらに、制御装置６００及びバッテリー６１８は、自動切断特性を有しても良く、この特性は、もし電気コード６０６が意図せずに、又は不注意的にソケット６１０から外れた場合、バッテリー及び制御装置６０２を無効にし、又は電力を落とす。
【００７３】
Ｖ．充電装置
図７及び図８を参照すると、充電装置７００は、１つ又はそれ以上の制御装置６００を受け入れるように構成される、多数の充電場所、又は溝７０２を有する。溝７０２の各々は、制御装置６００上に形成される接触面７１０及び７１０ａと共働するように構成される多数の電気接触面７０４を含む。充電装置７００は、各溝７０２に近接する多数の充電表示器、又は充電光７０８をさらに含む。光７０８は、充電装置７００に差し込まれた各制御装置６００の充電状態を表示するのに構成されている。図示される実施例において、各溝７０２は、３つの表示器７０８ａ、７０８ｂ、及び７０８ｃと結び付けられている。表示器７０８ａは、例えばバッテリーが損傷を受けているなど制御装置の１つが生じるかもしれない不良を有するとき、赤色の光を発する。表示器７０８ｂは、制御装置６００の１つが不十分な充電レベルであり、再充電の途中であるときオレンジ又は黄色の光を発する。表示器７０８ｃは、制御装置６００の１つが充電され、使用準備が整ったとき緑色の光を発する。このようにして、表示光７０８は、制御部６０２が、故障、充電中、又は充電完了のいずれの状態かどうかを、使用者１０２に示す。この実施形態において電気接触面７０４が示される一方で、制御部６０２はバッテリーを電磁誘導的に充電する磁気回路を介して、充電装置７００に磁気的に結合されても良いことは理解されるべきである。
【００７４】
上述されているように、制御装置６００及び充電装置７００は、回転翼２５２モータを繰り返し動作可能にするために、共働してバッテリー６１８の充電、及び再充電を行う。１つの実施形態において、制御装置６００及び充電装置７００は、図８に示すような電子構成８００を有する。回転翼２５２を駆動するのに使用されても良いモータ２６０の１例は、１０．４ＶＤＣの動作的な電圧を有するセンサレスな３相のブラシ直流である。電気コード６１２を介して回転翼モータ２６０に通信的に連結される処理部６０２は、特定用途向け集積回路（ＡＳＩＣ）、又はモータ２６０を制御するためのモータ制御部６０３処理装置を含み得る。詳細に、制御部６０３は、モータ２６０の速度を制御可能な１対の抵抗器を含み得る。あるいは、制御部６０３は、低騒音用途のためのパルス幅変調（ＰＷＭ）を使ってモータを制御でき、このようなサイン波ＰＷＭ様式は、比較的低い歪でモータ電流を発生させ、それゆえ、音声雑音も比較的低くなる。外部制御電圧は、負荷サイクルを制御するモータ制御部６０３に連結されることができ、該負荷サイクルは、速度を制御する一体化された位相ロックループ（ＰＬＬ）を使っても制御され得る。
【００７５】
１つの実施形態において、バッテリーは１つ又はそれ以上の再充電可能な円筒型リチウムイオンバッテリー（概してバッテリー６１８として示される）を含み得て、それは連続して連結され、燃料計集積回路８０２（ＩＣ）に通信可能に連結され、スマートバッテリー工業規格に順応している。スマートバッテリー規格は、制御装置６０２の性能及び動作を強化するためにバッテリーの充電、及び放電を管理及び制御している。ＩＣ８０２はシステム管理バス（ＳＭＢｕｓ）を含み得て、スマートバッテリーデータ（ＳＢＤａｔａ）を支持するように構成される燃料計ＩＣは、充電装置７００を制御実施可能な機能に命令を下し、充電制御を行う。ＩＣ８０２は、燃料計ＩＣから受ける構成情報を格納する電気的消去可能ＲＯＭ（ＥＥＰＲＯＭ）に連結されることができ、ＩＣ８０２は、バッテリー＋、バッテリー−、時計、データ、及びサーミスタ各々に対する、複数の個別接触面６２０ａ〜６２０ｅを含み得る。接触面６２０ａ、６２０ｂ、６２０ｃ、６２０ｄ、及び６２０ｅは、充電装置７００の溝７０２における接触面７０４ａ、７０４ｂ、７０４ｃ、７０４ｄ、及び７０４ｅそれぞれと接触するように構成される。
【００７６】
１つの動作例において、制御装置６０２及び充電装置７００の溝７０２は、満充電する前に、電気接触面６２０ａ〜６２０ｅ、及び７０４ａ〜７０４ｅを介してバッテリーに細流充電することにより、閾値より上にバッテリー電圧を上げるように共働する。ＩＣ８０２は、充電装置７００により行われる満充電電流に制限を設けており、その量は、０．７Ｖ〜１Ｖとすることができる指定された最大供給量より低い、又は等しい。例えば、さらにＩＣ８０２は、４．２±０．０５Ｖ／ｃｅｌ内の範囲でバッテリー６１８内での電圧上昇を制御、制限するようにプログラムされることができ、その間バッテリー電圧は所望の制御レベルで一定に維持されており、電荷電流は崩壊し、各セルの内部起電力（ＥＭＦ）は上昇を続ける。
【００７７】
上述されるように、充電装置７００は、複数の制御装置６００を一括して充電する複数の溝７０２を含む。一括充電動作は、通常ＳＭＢｕｓを採用し、ＳＭＢｕｓは、例えば商業的に使用可能なＭＡＸ１６４５、ＭＡＸ１６６７、及びＬＴＣ１７５９制御ＩＣなどの、分離制御ＩＣに含まれ得る。充電装置７００は複数のバッテリー充電ＩＣを含み、各バッテリー充電ＩＣ８０４は、充電装置７００の溝７０２と結合される。１つの実施形態において、バッテリー充電ＩＣ８０４は、上述されるスマートバッテリー充電規格に十分に順応し、具体的にはスマートバッテリー充電のレベル２規格に順応する。バッテリー充電ＩＣ８０４は、制御装置６００内における制御部６０２に対する従動装置として作動することができ、充電装置７００内のバッテリー充電ＩＣ８０４は、ＳＭＢｕｓ上の通信を初期化しない。しかしながら、充電装置７００内の各バッテリー充電ＩＣ８０４は、状態情報に対するクエリーへの命令、及び応答を受けるように適合されることができ、制御装置６０２から受けた命令、及びメッセージに対する直接的な応答で提供される出力特性を調整することができる。
【００７８】
ＶＩ．代替的なヘッドギア組立品
図１１を参照すると、１つの実施形態において、外科手術用防護組立品１００のヘッドギアは、比較的軽量のヘッドギア組立品１００２を含む。１つの実施形態において、ヘッドギア組立品１００２は、風洞を形成する半剛体外部アーム組立品１００４を含む。外部アーム組立品１００４は、半剛体内部アーム組立品１００６に、スライド自在に及び調整自在に結合される。内部アーム組立品１００６は、外部アーム組立品１００４に結合されるフレキシブルヘッドバンド１００８を含み、ヘッドバンド１００８は、首、又は下頭部支持部材１０１０を有する。外部アーム組立品１００４は、ファン、回転翼、又は空気流動装置１０１４を端部１０１２で支持する。外部アーム組立品１００４の端部１０１６は、空気ダクト１０１８を形成する直径が増加したフレア形状、及びレンズ搭載板又はフェイスシールド搭載台１０１９を有する。空気ダクト１０１８は、外部アーム組立品１００４の風洞に流動的に連結される内部空隙を形成し、空気ダクト１０１８は、上部開口部１０２０及び下部開口部（図示せず）を有する。フェイスシールド搭載台１０１９は、フェイスシールド（例えばフェイスシールド３００）と一致させるように構成される部材を有し、シールドを適当な装着でヘッドギア組立品１００２にスライド自在に結合できるようにする。
【００７９】
作業中、使用者は、後頭支持部材１０１０に結合されるサムホイールを回してヘッドバンド１００８の側面ストラップ１０２２を調整することで、ヘッドギア組立品１００２を使用者の頭部に調整可能に装着する。この調整は側面ストラップ１０２２の長さを長くするか、短くするかのどちらかでなされ、最後にはヘッドギア組立品１００２の周囲に作用する。１度、作業形態に固定及び構成されると、空気流動装置１０１４は、外部アーム組立品１００４を介して空気ダクト１０１８に空気を送り、空気ダクト１０１８の開口部１０２０及び下部開口部（図示せず）を通って空気を流す要因となる。結果として、空気は使用者の顔上部を流れ、使用者に新鮮な空気を供給する。空気はまた、冷却目的で使用者の頭頂部に空気を供給するのに、開口部１０２０を通って流れる。
【００８０】
別の実施形態において、外部アーム組立品１００４は通路を形成しない。ここで、外科手術用フード（例えばフード５０２）は、引き伸ばされた空気ダクトを含む。外科手術用フードがヘッドギア組立品１００２に装着されるとき、フードの引き伸ばされた空気ダクトは、空気ダクト１０１８の開口部１０２０と流動的な通信内に空気流動装置１０１４を運ぶ。
【００８１】
図１２を参照すると、１つの実施形態において、外科手術用防護組立品１００のヘッドギアは、比較的軽量なヘッドギア組立品１１０２を含む。ヘッドギア組立品１１０２は、風洞を形成する空壁、ダクト部材、又はプレナム１１０６に結合される、半剛体頭部固定装置１１０４を含む。頭部固定装置１１０４は、フレキシブルヘッドバンド１１０８を含み、該フレキシブルヘッドバンド１１０８は複数の側面ストラップ１１１０を有する。後部側面ストラップ部１１１２は、例えば発泡体などの、複数の弾性快適部材１１１４を支持し、それらは使用者の首、又は下頭部領域と係合するように構成される。
【００８２】
プレナム１１０６は、ファン、回転翼、又は空気流動装置１１１８を端部１１１６で支持する。プレナム１１０６の端部１１２０は、（ａ）空気ダクト１１２２を形成する増加された直径を有するフレア形状、（ｂ）フィルターホルダー１１２４、及び（ｃ）レンズ搭載板又はフェイスシールド搭載台１１２６、を有する。空気ダクト１１２２は、プレナム１１０６の風洞と流動的に連結される内部空隙を形成し、空気ダクト１０２２は下部開口部１１２８を有する。フェイスシールド搭載台１１２６はフェイスシールド（例えばフェイスシールド３００）と一致させるように構成される部材を有し、シールドを適当な装着でヘッドギア組立品１１０２に取り外し自在に結合できるようにする。
【００８３】
作業中、使用者は、ヘッドバンド１１０４の後部に結合されるサムホイールを回してヘッドバンド１００８の側面ストラップ１０２２を調整することで、ヘッドギア組立品１１０２を使用者の頭部に調整可能に装着する。この調整は側面ストラップ１１１０の長さを長くするか、短くするかのどちらかでなされ、最後にはヘッドギア組立品１１０２の周囲に作用する。１度、作業形態に固定及び構成されると、空気流動装置１１１８は、プレナム１１０６を介して空気ダクト１１１２に空気を送り、空気ダクト１１２２の開口部１１２８を通って空気を流す要因となる。結果として、空気は使用者の顔上部を流れ、使用者に新鮮な空気を供給する。
【００８４】
ヘッドギア組立品１００２及び１１０２それぞれは、比較的軽量であり、比較的少ない部品で作られる。例えば、各組立品１００２及び１１０２の枠組みは、比較的大きな空間、又は開口領域１２０２、１２０４、１２０６、及び１２０８を形成する。これらの開口領域１２０２、１２０４、１２０６、及び１２０８は、組立品１００２及び１１０２によって使用者の頭部が覆われない多くの部分を残し、これがまた、使用者の頭部に掛かる荷重を減らす比較的軽量な構成という結果をもたらす。
【００８５】
１つの実施形態において、ヘッドギア組立品１００２及び１１０２は、ヘッドギア組立品２００の全て、又は幾つかの部分、部品、及び要素を含む。ここで開示される任意の実施形態が、外科手術用防護ヘッドギア組立品のその他好適な実施形態を形成するために、入れ替えられ、又は組み合わされ得ることは理解されるべきである。
【００８６】
ここで現在開示される好適な実施形態に対する様々な変更及び修正は、当分野の技術者にとって明白であることは理解されるべきである。このような変更及び修正は、本発明の精神と範囲から逸脱せず、意図された利点を縮小しないで成され得る。それゆえ、このような変更及び修正が、添付された請求項によって保護されることは意図されている。
【符号の説明】
【００８７】
１００  外科手術用防護組立品
１０２  使用者
１０４  作業面
２００  ヘッドギア組立品
２０２、９０２  シェルユニット
２０４、２４０、３１８、９４０  内表面
２０６、９０６  外シェル
２０８、９０８  内シェル
２１０  空気流動装置
２１２、９１２  バイザー部分
２１４、２４６、９１４、９４６  リア部
２１６、９１６  吸気口
２１８、９１８  上部、又は頭頂部
２２０、２５０、９２０、９６０  リッジ
２２１、９２１  中央風洞、又は通気道
２２２、９２２  風洞、又は通気道
２２６、９２６  シールド係合組立品
２２８、９２８  中央アライナー、又は中央位置合わせガイド
２３０、９３０  側面ロック
２３２、９３２  外シェル表面
２３４  溝又はポケット
２３６、３０４  固定スロット
２３８、３０６  固定タブ
２４２、９４２  起伏壁
２４４、９４４  側面部
２４８、９４８  内シェル表面
２５２  回転翼
２５４  搭載壁
２５５  下部フレーム
２５６  プロペラ、又はブレード
２５８  エアフォイル型形状、又は涙型形状
２５８ａ  放物線状の壁
２５８ｂ  従属壁
２５８ｃ  内側頂点エッジ
２５８ｄ  上壁
２５８ｅ  三角形状領域
２６０  電気モータ
２６２  回転ユニット
２６４  モータハウジング
２６６  ドライブシャフト
２６７  ドライブシャフト連結器
２６８  ブレード支持フレーム
２７０  先端領域
３００  フェイスシールド
３０２  位置合わせタブ
３０７  ｙ軸
３０８  第一アーム
３０９  ｚ軸
３１０  第二アーム
３１２  付着領域
３１４  画像情報
３１６  表示領域
３１７  表示処理装置
３２０  装着台
３２２  外表面
３２４  指示部、又は指示装置
４００  調整可能な式頭部固定組立品
４０２  頭部支持組立品
４０４  張り装置組立品
４０６  上部支持バンド
４０８  前額部バンド、又は下部バンド
４１０  複アーム張り装置組立品
４１２  張り装置
４１４  張力バンド、フレキシブルフォース伝達器、又はコード
４１６  第一端部
４１８  第二端部
４２０  第一支持アーム
４２２  第二支持アーム
４２４  調整アーム
４２６  第一フレキシブルサブアーム
４２８  第二フレキシブルサブアーム
４３０  左調整可能なアーム
４３２  右調整可能なアーム
４３４  スロット
４３４ａ、４３４ｂ  内スロット壁
４３６  スロットフォロワー、又は円筒型フォロワー
４３６ａ  薄型リベット、又は好適なファスナー
４３８  固定アーム
４４０  フレキシブル搭載アーム
４４２  手動式ノブ、又は回転式ラチェット
４４４  連結器
４４６  快適バンド
４４８  頚部、下頭部係合器、又は下頭部支持体
４５０  ハウジング
４５２  上壁
４５４  下壁
４５６  頭部係合面
５００  外科手術服
５０２  フード
５０４  第二のフィルター
５０８  外科手術用ボディースーツ
５１０  第一のフィルター
６００  制御装置
６０２  制御部、又は処理部
６０３  モータ制御部
６０４  速度制御入力装置
６０６  電気コード
６０８  充電レベル指示器
６１０  電気的な連結器、又はソケット
６１２  受信機
６１８  バッテリー
７００  充電装置
７０２  充電場所、又は充電溝
７０４  電気接触面
７０８  充電表示器、又は充電光
７１０、７１０ａ  接触面
８００  電子構成
９２４  前開口部
９５２  ドーム型開口部
９５４  内側
９５６、９５８  リップ、又はエッジ
９６０  滑らかな結合部
９６２  コードガイド
９６４  被覆部
９６６  管路部
９７０  開いた通気道
９８０  前端部
【図１】
2010500127.tif 000002
【図２】
2010500127.tif 000003
【図２Ａ】
2010500127.tif 000004
【図２Ｂ】
2010500127.tif 000005
【図２Ｃ】
2010500127.tif 000006
【図２Ｄ】
2010500127.tif 000007
【図２Ｅ】
2010500127.tif 000008
【図２Ｆ】
2010500127.tif 000009
【図３】
2010500127.tif 000010
【図３Ａ】
2010500127.tif 000011
【図３Ｂ】
2010500127.tif 000012
【図３Ｃ】
2010500127.tif 000013
【図３Ｄ】
2010500127.tif 000014
【図３Ｅ】
2010500127.tif 000015
【図４】
2010500127.tif 000016
【図４Ａ】
2010500127.tif 000017
【図４Ｂ】
2010500127.tif 000018
【図５】
2010500127.tif 000019
【図６】
2010500127.tif 000020
【図７】
2010500127.tif 000021
【図８】
2010500127.tif 000022
【図９】
2010500127.tif 000023
【図９Ａ】
2010500127.tif 000024
【図１０】
2010500127.tif 000025
2010500127.tif 000026
2010500127.tif 000027
【国際調査報告】
2010500127.tif 000028